(57)【特許請求の範囲】
【請求項１】
第１のレンズを保持する筒状の第１保持部と、
第２のレンズを保持し、前記第１保持部と連結された第２保持部と、
前記第１のレンズと前記第２のレンズとの間に配置される第３のレンズを保持し、前記第１保持部の外周側を光軸方向に延びる筒状の第３保持部とを備え、
前記第１保持部は、前記第２保持部との間に、前記第３保持部が前記第１保持部の外周側に貫通する挿通部を有し、
前記第１保持部は前記第３保持部に沿って光軸方向に移動可能であり、
前記第１保持部の外周に、凹溝又は凸溝の一方が形成され、
前記第３保持部の内周に、凹溝又は凸溝の他方が形成され、
前記凹溝と前記凸溝とが互いに嵌合している、
レンズ鏡筒。
【請求項２】
第１のレンズを保持する筒状の第１保持部と、
第２のレンズを保持し、前記第１保持部と連結された第２保持部と、
前記第１のレンズと前記第２のレンズとの間に配置される第３のレンズを保持し、前記第１保持部の外周側を光軸方向に延びる筒状の第３保持部と、を備え、
前記第１保持部は、前記第２保持部との間に、前記第３保持部が前記第１保持部の外周側に貫通する挿通部を有し、
前記第１保持部は前記第３保持部に沿って光軸方向に移動可能であり、
前記第２保持部の外周に第１カムフォロアが設けられ、
前記第３保持部の外周に第３カムフォロアが設けられ、
前記第１カムフォロアが嵌合する第１カム溝と、前記第３カムフォロアが嵌合する第３カム溝と、が設けられた操作環を、前記第１保持部の外周側に備える、
レンズ鏡筒。
【請求項３】
請求項１又は２に記載のレンズ鏡筒であって、
前記第３保持部の外周側に、第４のレンズを保持する筒状の第４保持部を備え、
前記第４保持部は、前記第３保持部に沿って光軸方向に移動可能である、
レンズ鏡筒。
【請求項４】
請求項１〜３のいずれか１項に記載のレンズ鏡筒であって、
前記第３保持部は、前記挿通部より前記光軸方向の長さが長い、
レンズ鏡筒。
【請求項５】
第１レンズ及び第２レンズを保持し、外周側に第１係合部を有する筒状の第１保持部材と、
前記第１レンズと前記第２レンズとの間に配置される第３レンズを保持し、前記第１係合部と係合する第２係合部を内周側に有する筒状の第２保持部材と、を備え、
前記第１保持部材は、前記第２保持部材に対して光軸方向に移動可能である、
レンズ鏡筒。
【請求項６】
第１レンズ及び第２レンズを保持し、第１フォロアを有する筒状の第１部材と、
前記第１レンズと前記第２レンズとの間に配置される第３レンズを保持し、第２フォロアを有し、前記第１部材の外周側を光軸方向に延びる筒状の第２部材と、
前記第１フォロアと係合する第１カム溝と、前記第２フォロアと係合する第２カム溝と、を有し、前記第１部材及び前記第２部材の外周側に配置される操作環と、を備え、
前記第１部材は、前記第２部材に沿って光軸方向に移動可能である、
レンズ鏡筒。
【請求項７】
請求項１〜６のいずれか１項に記載のレンズ鏡筒を備える光学機器。
【発明の詳細な説明】
【技術分野】
【０００１】
本発明は、レンズ鏡筒及び光学機器に関するものである。
【背景技術】
【０００２】
従来、レンズ交換式カメラの交換レンズにおいては、ズームレンズの需要が高い。そして、ズームレンズは高変倍比を実現するために、全長が長くなってしまうという問題があった。このような課題に対して、例えば特許文献１に記載されているようなズームレンズが提案されている（特許文献１参照）。
特許文献１の実施例２では、第４群レンズと第６群レンズを一体として移動させ、その間の第５群レンズを、第４群レンズと第６群レンズとは独立して移動させる構成が記載されている。
【先行技術文献】
【特許文献】
【０００３】
【特許文献１】特開平４−１４６４０７号公報
【発明の概要】
【０００４】
第１の発明は、第１のレンズを保持する筒状の第１保持部と、第２のレンズを保持し、前記第１保持部と連結された第２保持部と、前記第１のレンズと前記第２のレンズとの間に配置される第３のレンズを保持し、前記第１保持部の外周側を光軸方向に延びる筒状の第３保持部とを備え、前記第１保持部は、前記第２保持部との間に、前記第３保持部が前記第１保持部の外周側に貫通する挿通部を有し、前記第１保持部は前記第３保持部に沿って光軸方向に移動可能であり、前記第１保持部の外周に、凹溝又は凸溝の一方が形成され、前記第３保持部の内周に、凹溝又は凸溝の他方が形成され、前記凹溝と前記凸溝とが互いに嵌合している、レンズ鏡筒に関する。
第２の発明は、第１のレンズを保持する筒状の第１保持部と、第２のレンズを保持し、前記第１保持部と連結された第２保持部と、前記第１のレンズと前記第２のレンズとの間に配置される第３のレンズを保持し、前記第１保持部の外周側を光軸方向に延びる筒状の第３保持部と、を備え、前記第１保持部は、前記第２保持部との間に、前記第３保持部が前記第１保持部の外周側に貫通する挿通部を有し、前記第１保持部は前記第３保持部に沿って光軸方向に移動可能であり、前記第２保持部の外周に第１カムフォロアが設けられ、前記第３保持部の外周に第３カムフォロアが設けられ、前記第１カムフォロアが嵌合する第１カム溝と、前記第３カムフォロアが嵌合する第３カム溝と、が設けられた操作環を、前記第１保持部の外周側に備える、レンズ鏡筒に関する。
第３の発明は、第１レンズ及び第２レンズを保持し、外周側に第１係合部を有する筒状の第１保持部材と、前記第１レンズと前記第２レンズとの間に配置される第３レンズを保持し、前記第１係合部と係合する第２係合部を内周側に有する筒状の第２保持部材と、を備え、前記第１保持部材は、前記第２保持部材に対して光軸方向に移動可能である、レンズ鏡筒に関する。
第４の発明は、第１レンズ及び第２レンズを保持し、第１フォロアを有する筒状の第１部材と、前記第１レンズと前記第２レンズとの間に配置される第３レンズを保持し、第２フォロアを有し、前記第１部材の外周側を光軸方向に延びる筒状の第２部材と、前記第１フォロアと係合する第１カム溝と、前記第２フォロアと係合する第２カム溝と、を有し、前記第１部材及び前記第２部材の外周側に配置される操作環と、を備え、前記第１部材は、前記第２部材に沿って光軸方向に移動可能である、レンズ鏡筒に関する。
第５の発明は、上記レンズ鏡筒を備える光学機器に関する。
【図面の簡単な説明】
【０００５】
【図１】レンズ鏡筒１の要部の概略断面図であり、（ａ）はワイドの状態、（ｂ）はテレの状態を示す。
【図２】レンズ鏡筒１の分解斜視図である。
【図３】２群筒２２と４群レンズ枠２５との連結前の状態の斜視図である。
【図４】３群筒２３の斜視図であり、（ａ）は光軸方向被写体側から見た図、（ｂ）は光軸方向カメラボディ側が見た図である。
【図５】１群筒２１の斜視図である。
【図６】固定筒１２及びズーム操作環１１の展開図である。
【図７】図１に対応する本実施形態の比較形態のレンズ鏡筒１Ａの要部の概略断面図であり、（ａ）はワイドの状態、（ｂ）はテレの状態を示す。
【発明を実施するための形態】
【０００６】
以下、図面等を参照して、本発明の実施形態について説明する。
図１は、レンズ鏡筒１の要部の概略断面図であり、（ａ）はワイドの状態、（ｂ）はテレの状態を示す。レンズ鏡筒１は、図１（ａ）に点線で示すカメラボディ２に対して着脱可能であるが、これに限定されず、レンズ鏡筒１とカメラボディとが一体であってもよい。図２は、レンズ鏡筒１の分解斜視図であり、レンズ群の記載は省略している。
【０００７】
レンズ鏡筒１は、光軸ＯＡ方向被写体側から、第１レンズ群Ｌ１と、第２レンズ群Ｌ２と、第３レンズ群Ｌ３と、第４レンズ群Ｌ４とを備える。また、レンズ鏡筒１は、外周側から、ズーム操作環１１と、固定筒１２とを備える。固定筒１２にはレンズ側マウント１３が固定されている。
レンズ鏡筒１は更に、第１レンズ群Ｌ１を保持する１群筒２１と、第３レンズ群Ｌ３を保持する３群筒２３と、第２レンズ群Ｌ２を保持する２群筒２２及び第４レンズ群Ｌ４を保持する４群レンズ枠２５と、を備える。４群レンズ枠２５は、２群筒２２に連結されている。
【０００８】
２−４群筒２４は、２群筒２２と４群レンズ枠２５とが連結されたもので、連結前の状態の斜視図を図３に示す。
４群レンズ枠２５の外側には、２−４群カムフォロア３１が、周方向の略均等な３か所に形成されている。
２群筒２２の外周には、光軸ＯＡ方向に延びる２−４群凸溝３２が、周方向の略均等な３か所に形成されている。それぞれの２−４群凸溝３２の両側には、わずかに窪んだ２−４群凹溝３３が形成されている。また、２−４群筒２４は、２群筒２２と４群レンズ枠２５との間に、３群挿通部３４が形成されている（図１に図示）。
【０００９】
図４は３群筒２３の斜視図であり、図４（ａ）は光軸方向被写体側から見た図、図４（ｂ）は光軸方向カメラボディ側が見た図である。３群筒２３のカメラボディ側端部の外周には、３群カムフォロア４１が周方向の略均等な３か所に形成されている。
【００１０】
３群筒２３は、筒状部４６とレンズ保持部４７（レンズ保持部４７は図１に示す）とを有する。第３レンズ群Ｌ３は、第２レンズ群Ｌ２と第４レンズ群Ｌ４との間に配置されている。
第３レンズ群Ｌ３を保持するレンズ保持部４７は、第３レンズ群Ｌ３を保持する３群保持環４７ｂと、その外周側から筒状部４６の内周に向かって延びる第１延在部４７ａとを有している。第１延在部４７ａは、２−４群筒２４の３群挿通部３４を貫通して外周側に延びている。その外周側に延びた第１延在部４７ａの先端から、筒状部４６が光軸ＯＡ方向被写体側に延びている。
３群挿通部３４は、図２に示すように、２群筒２２の１群筒２５側の部分が、一部切り欠かれることで形成されている。
第１延在部４７ａの外周側には、筒状部４６の外周から外周側に延びる第２延在部４７ｃが設けられており、第２延在部４７ｃの先端には３群カムフォロワ４１が設けられている。
３群筒２３の延在部４７ａは、２−４群筒２４に形成された３群挿通部３４の光軸ＯＡ方向の長さの範囲で、２−４群筒２４に対して光軸ＯＡ方向に移動可能である。また、筒状部４６の光軸ＯＡ方向の長さは３群挿通部３４の光軸ＯＡ方向の長さより長い。
【００１１】
また、３群筒２３の筒状部４６の外周には、光軸ＯＡ方向に延びる３群外周凸溝４２が周方向の略均等な３か所に形成されている。それぞれの３群外周凸溝４２の両側には、わずかに窪んだ３群外周凹溝４３が延びている。
３群筒２３の筒状部４６の内周には、光軸ＯＡ方向に延びる３群内周凹溝４４が周方向の略均等な３か所に形成されている。３群内周凹溝４４の両側には、わずかに内径側に突出した３群内周凸溝４５が延びている。
３群内周凹溝４４には２−４群凸溝３２がキー嵌合し、３群内周凸溝４５には２−４群凸溝３２がキー嵌合し、２−４群筒２４と３群筒２３とは、互いに光軸ＯＡ方向にスライド移動可能となっている。
【００１２】
図５は１群筒２１の斜視図である。１群筒２１のカメラボディ側端部の外周には１群カムフォロア５１が周方向の略均等な３か所に形成されている。
１群筒２１の内周には、光軸ＯＡ方向に延びる１群凹溝５２が周方向の略均等な３か所に形成されている。１群凹溝５２の両側には、わずかに内径側に突出した１群凸溝５３が延びている。
１群内周凹溝５３には３群外周凸溝４２がキー嵌合し、１群内周凹溝５２には３群外周凸溝４３がキー嵌合し、１群筒２１と３群筒２３とは、互いに光軸ＯＡ方向にスライド移動可能となっている。
【００１３】
図６は、固定筒１２及びズーム操作環１１の展開図である。図示するように固定筒１２には１−３群直進溝６１と２−４群直進溝６２とが周方向の略均等な３か所に形成されている。
ズーム操作環１１の内面には、点線で示す２−４群カム７２、３群カム７１、１群カム７３が周方向の略均等な３か所に形成されている。
【００１４】
１群カムフォロア５１は、ズーム操作環１１の１群カム７３と固定筒１２の１−３群直進溝６１と嵌合している。
ズーム操作環１１が回転すると、１群カムフォロア５１は、１−３群直進溝６１に沿って直進しつつ、１群カム７３に沿って光軸ＯＡ方向に移動する。
【００１５】
２−４群カムフォロア３１は、ズーム操作環１１の２−４群カム７２と、固定筒１２の２−４群直進溝６２に嵌合している。
ズーム操作環１１が回転すると、２−４群カムフォロア４１は、２−４群直進溝６２に沿って直進しつつ、２−４群カム７２に沿って光軸ＯＡ方向に移動する。
このとき、２−４群筒２４の２−４群凸溝３２及び２−４群凸溝３２は、３群内周凹溝４４及び３群内周凸溝４５に沿って光軸ＯＡ方向に相対的にスライド移動する。
【００１６】
３群カムフォロア４１は、ズーム操作環１１の３群カム７１と、固定筒１２の１−３群直進溝６１に嵌合している。
ズーム操作環１１が回転すると、３群カムフォロア４１は、１−３群直進溝６１に沿って直進しつつ、３群カム７１に沿って光軸ＯＡ方向に移動する。
このとき、３群筒２３の３群外周凸溝４２及び３群外周凸溝４２は、１群凹溝５２及び１群凸溝５３に沿って光軸ＯＡ方向にスライド相対移動する。
また、上述のように、３群内周凹溝４４及び３群内周凸溝４５は２−４群筒の２−４群凸溝３２及び２−４群凸溝３２に沿って光軸ＯＡ方向にスライド相対移動する。
【００１７】
（比較形態）
図７は、図１に対応する本実施形態の比較形態のレンズ鏡筒１Ａの要部の概略断面図であり、（ａ）はワイドの状態、（ｂ）はテレの状態を示す。
比較形態のレンズ鏡筒１Ａが実施形態と異なる点は、第３レンズ群Ｌ３を保持する３群保持部材２３Ａが実施形態の図１、図４に示すような筒状部４６を有していない点である。なお、図７において、実施形態と同様の部分は実施形態と同一の符号を付し、説明を省略する。
【００１８】
比較形態では、１群筒２１と２−４群筒２４とが互いに光軸ＯＡ方向に嵌合している。３群保持部材２３Ａは、光軸ＯＡ方向において、内周側で２−４群筒２４と嵌合しているが、第２レンズ群Ｌ２と第４レンズ群Ｌ４との間のスペース内で嵌合しているため、実施形態における筒状部４６の３群筒２３との嵌合と比べて、嵌合長が短い。
３群保持部材２３Ａは、３群カムフォロア４１との間に製造上のクリアランスが存在する。比較形態によると、３群保持部材２３Ａの２−４群筒２４との嵌合長が短いため、実施形態と比べてこのクリアランスによる第３レンズ群Ｌ３の偏芯がしやすくなる。
光学特性の面でも、第２レンズ群Ｌ２と第４レンズ群Ｌ４が連動して移動する光学系では、第３レンズ群Ｌ３の偏芯は光学性能に大きく影響し、偏芯精度が厳しいため、比較形態では偏芯精度を高精度にしにくい。
【００１９】
（実施形態の効果）
しかし、本実施形態によると、３群筒２３は筒状部４６を有する。この筒状部４６が１群筒２１と２−４群筒２４とに対して光軸ＯＡ方向に嵌合している（嵌合長が長い）。
すなわち、３群筒２３の筒状部４６は、１群筒２１と２−４群筒２４との両方に嵌合しているので、製造上のクリアランスによる第３レンズ群Ｌ３の偏芯角度が小さくなり、レンズ鏡筒１の歩留まりを向上することもできる。
【００２０】
また、３群内周凹溝４４には２−４群凸溝３２がキー嵌合し、３群内周凸溝４５には２−４群凸溝３２がキー嵌合し、２−４群筒２４と３群筒２３とは、互いに光軸ＯＡ方向にスライド移動可能となっている。
そして、１群内周凹溝５３には３群外周凸溝４２がキー嵌合し、１群内周凹溝５２には３群外周凸溝４３がキー嵌合し、１群筒２１と３群筒２３とは、互いに光軸ＯＡ方向にスライド移動可能となっている。
したがって、１群筒２１と３群筒２３、３群筒２３と２−４群筒２４との間の移動がスムーズになるとともに、互いに対する周方向のぐらつき等がより回避される。
【００２１】
さらに、筒状部４６の長さが３群挿通部３４より長いので、偏芯をより抑えることができる。
【００２２】
以上、実施形態について説明したが、上記実施形態は、種々の変形や変更が可能である。
例えば、本実施形態では、１群筒２１と３群筒２３、３群筒２３と２−４群筒２４との嵌合をキー嵌合としたが、これに限定されず、例えば溝部を有さず、周面の接触による嵌合である径嵌合であってもよい。
【符号の説明】
【００２３】
Ｌ１：第１レンズ群、Ｌ２：第２レンズ群、Ｌ３：第３レンズ群、Ｌ４：第４レンズ群、ＯＡ：光軸、１：レンズ鏡筒、２：カメラボディ、１１：ズーム操作環、１２：固定筒、１３：レンズ側マウント、２１：１群筒、２２：２群筒、２３：３群筒、２４：２−４群筒、２５：４群レンズ枠、３１：２−４群カムフォロア、３２：２−４群凸溝、３３：２−４群凹溝、３４：３群挿通部、４１：３群カムフォロア、４２：３群外周凸溝、４３：３群外周凹溝、４４：３群内周凹溝、４５：３群内周凸溝、４６：筒状部、４７：レンズ保持部、５１：１群カムフォロア、５２：１群凹溝、５３：１群凸溝、６１：群直進溝、６２：群直進溝、７１：３群カム、７２：２−４群カム、７３：１群カム
【図１】
0006746909.tif 000002
【図２】
0006746909.tif 000003
【図３】
0006746909.tif 000004
【図４】
0006746909.tif 000005
【図５】
0006746909.tif 000006
【図６】
0006746909.tif 000007
【図７】
0006746909.tif 000008